(57)【要約】      （修正有）【課題】十分な耐荷重を有するとともに、一度剥がしても何度でも繰り返し使用することが可能な物品保持具を提供する。【解決手段】吸着シート１０と、基材１１と、保持部１２とを備える。吸着シート１０は、複数の微細な孔がマイクロ吸盤として機能する吸着層を設けており、一方の面１０ａが前記壁面に吸着される。基材１１は、所定の剛性及び所定の厚さｔを有する面材であり、一方の面１１ａが前記吸着シート１０の他方の面１０ｂに貼り付けられる。保持部１２は、物品を保持し、一方の面１２ａが前記基材１１の他方の面１１ｂに取り付けられる。保持部１２が物体を保持した際に、保持部１２の最下端を支点として基材１１に対して下方へ回転する回転力が掛かり、当該基材１１は、掛かった回転力をせん断力にして吸着シート１０に伝える。【選択図】図１
0003212231.tif 000002
【実用新案登録請求の範囲】
【請求項１】
平滑な壁面に固定される物品保持具であって、
複数の微細な孔がマイクロ吸盤として機能する吸着層を設けており、一方の面が前記壁面に吸着される吸着シートと、
所定の剛性及び所定の厚さを有する面材であり、一方の面が前記吸着シートの他方の面に貼り付けられる基材と、
物品を保持し、一方の面が前記基材の他方の面に取り付けられる保持部と
を備える物品保持具。
【考案の詳細な説明】
【技術分野】
【０００１】
本考案は、物品保持具に関する。
【背景技術】
【０００２】
近年、複数の微細な孔が吸盤として機能する吸着層を有する吸着シートが開発されており、この吸着シートを用いた物品保持具が開発されている。例えば、特開平９−２１５５８２号公報（特許文献１）には、磁性面に当接する板状の基部片の背面に、マグネットを固着し、このマグネットの背面に、弾性を有し、無数の独立気泡体と連続気泡体とが混在して、平滑面に対し押圧作用により吸着性を有する発泡樹脂シートから成る吸着片を設けた保持部材が開示されている。これにより、耐荷重性に秀れた保持部材を提供出来るとしている。
【０００３】
又、特開２００８−１１３９４７号公報（特許文献２）には、表面に吸着面を形成した吸着シートの裏面の一部又は全部に手指の滑り止めストッパー状突起を設けた容器着脱保持具が開示されている。これにより、手指から滑り易く、そのため、こわれ易いガラス製、陶磁器製等の容器に迅速に装着でき、容器の洗滌等の際には、容易に取りはずしでき、軽量小型に形成され、安価に製作できるとしている。
【０００４】
又、特開２００８−１７３２２２号公報（特許公報３）には、折曲自在な柔軟性を有するシート状の本体と、この本体は、少なくとも基材とこの基材の一方の面に設けられ被吸着面に吸着する吸着層とを備えた物品保持具が開示されている。この物品保持具の吸着層は、合成樹脂組成物を発泡させて少なくとも前記吸着層の表面に多数の気孔を備えて真空吸着力を有しており、物品保持具は、物品を保持可能な保持体を備えている。これにより、物品を保持すると共に、壁面等の被吸着面に吸着させて簡易かつ迅速に取り付けることができるとしている。
【先行技術文献】
【特許文献】
【０００５】
【特許文献１】特開平９−２１５５８２号公報
【特許文献２】特開２００８−１１３９４７号公報
【特許文献３】特開２００８−１７３２２２号公報
【考案の概要】
【考案が解決しようとする課題】
【０００６】
しかしながら、上述した特許文献１−３に記載の技術では、部品点数が多くなったり、耐荷重が不十分であったりする課題がある。
【０００７】
特に、吸着シートは、パネル、ガラス、金属板等の平滑な壁面には、容易に吸着するとともに、壁面から汚さずに剥がすことができ、更に、吸着シートの吸着層を洗えば、繰り返し使用することが出来る。しかしながら、吸着シートを物品保持具に用いた場合は、耐荷重の不十分さから、従来の粘着シートや吸盤の代替になり難いという課題がある。
【０００８】
一方で、粘着シートでは、両面に粘着層を設け、壁面と物品保持具とを粘着層で密着させるが、物品保持具を壁面から取り外す場合に、粘着層が壁面に残り、壁面が汚れるという課題がある。又、粘着シートでは、一度、物品保持具を壁面に密着させると、位置変更等の微調整が出来ないという課題がある。
【０００９】
又、吸盤では、吸盤内部と壁面との間に真空を設けることで、吸盤を介して物品保持具を壁面に固定するものであるが、一度、物品保持具を壁面に固定すると、物品保持具が保持する物品の重さにより、吸盤自体が塑性変形し、吸盤内部の真空が解除され、物品保持具が壁面から突然脱落するという課題がある。特に、吸盤は、一度塑性変形が生じると、吸着力が著しく低下するため、買い替える必要がある。近年では、レバー式にして、吸盤内部の真空度を高めて、耐荷重を高める物品保持具も開発されているが、結局、吸盤の塑性変形により、物品保持具が、長期間、荷重に耐えきれずに脱落する。
【００１０】
そこで、本考案は、前記課題を解決するためになされたものであり、十分な耐荷重を有するとともに、一度剥がしても何度でも繰り返し使用することが可能な物品保持具を提供することを目的とする。
【課題を解決するための手段】
【００１１】
本考案は、平滑な壁面に固定される物品保持具であって、吸着シートと、基材と、保持部とを備える。吸着シートは、複数の微細な孔がマイクロ吸盤として機能する吸着層を設けており、一方の面が前記壁面に吸着される。基材は、所定の剛性及び所定の厚さを有する面材であり、一方の面が前記吸着シートの他方の面に貼り付けられる。保持部は、物品を保持し、一方の面が前記基材の他方の面に取り付けられる。
【考案の効果】
【００１２】
本考案によれば、十分な耐荷重を有するとともに、一度剥がしても何度でも繰り返し使用することが可能となる。
【図面の簡単な説明】
【００１３】
【図１】本考案に係る物品保持具の側面図（図１Ａ）と、正面図（図１Ｂ）と、斜視図（図１Ｃ）とである。
【図２】本考案に係る物品保持具を壁面に固定させ、物品を保持させた際の断面模式図（図２Ａ）と、回転する力が分散された様子を示す断面模式図（図２Ｂ）とである。
【図３】基材の形状を変化させた場合の複数の物品保持具の正面図である。
【図４】両面粘着シートを設けた場合の側面図及び斜視図（図４Ａ）と、保持部の寸法を大きくした場合の側面図及び斜視図（図４Ｂ）とである。
【図５】保持部の寸法を基材の寸法と同等にした場合の側面図及び斜視図（図５Ａ）と、引っ張り部を設けた場合の側面図及び斜視図（図５Ｂ）とである。
【図６】保持部の形状を変化させた場合の複数の物品保持具の斜視図（図６Ａ）と、保持部の形状をシャワー用にした場合の物品保持具の斜視図（図６Ｂ）とである。
【図７】基材に鏡を設けた場合の第一の物品保持具の斜視図（図７Ａ）と、基材に鏡を設けた場合の第二の物品保持具の斜視図（図７Ｂ）とである。
【図８】保持部を箱状にした場合の第一の物品保持具の斜視図（図８Ａ）と、保持部を箱状にした場合の第二の物品保持具の斜視図（図８Ｂ）とである。
【図９】保持部を基材と一体成型させた場合の第一の物品保持具の斜視図（図９Ａ）と、保持部を基材と一体成型させた場合の第二の物品保持具の斜視図（図９Ｂ）とである。
【図１０】保持部を複数設けた場合とタオル掛け用にした場合の物品保持具の斜視図（図１０Ａ）と、二つの物品保持具を用いた多用途のハンガーの分解図（図１０Ｂ）とである。
【図１１】保持部を基材に埋め込んだ場合の第一の物品保持具の左側面図、断面拡大図、正面図（図１１Ａ）と、保持部を基材に埋め込んだ場合の第一の物品保持具及びスクレーパーの左側面図、正面図（図１１Ｂ）とである。
【図１２】基材を透明にし、基材の形状を猫にした場合の物品保持具の左側面図、正面図、斜視図（図１３Ａ）と、複数の印刷物の猫のデザインの例を示す正面図（図１３Ｂ）とである。
【図１３】実施例１−３、比較例１の物品保持具を示す斜視写真（図１４Ａ）と、鉄板扉、ガラス、鏡にそれぞれ実施例１−３の物品保持具を吸着させ、物品を吊り下げた様子を示す斜視写真（図１４Ｂ）とである。
【図１４】実施例４−６の物品保持具を示す斜視写真（図１５Ａ）と、鉄板扉に実施例４−６の物品保持具を吸着させ、物品を吊り下げた様子を示す斜視写真（図１５Ｂ）とである。
【図１５】実施例７−９の物品保持具を示す斜視写真（図１６Ａ）と、鉄板扉に実施例９の物品保持具が脱落せずに固定している様子を示す斜視写真（図１６Ｂ）とである。
【図１６】実施例１０−１２の物品保持具を示す斜視写真（図１７Ａ）と、鉄板扉に実施例１２の物品保持具が脱落せずに固定している様子を示す斜視写真（図１７Ｂ）とである。
【図１７】比較例２、３の物品保持具を示す斜視写真（図１８Ａ）と、比較例４の物品保持具を示す斜視写真（図１８Ｂ）とである。
【考案を実施するための形態】
【００１４】
以下に、添付図面を参照して、本考案の実施形態について説明し、本考案の理解に供する。尚、以下の実施形態は、本考案を具体化した一例であって、本考案の技術的範囲を限定する性格のものではない。
【００１５】
本考案は、平滑な壁面に固定される物品保持具１であって、図１に示すように、吸着シート１０と、基材１１と、保持部１２とを備える。吸着シート１０は、複数の微細な孔がマイクロ吸盤として機能する吸着層を設けており、一方の面１０ａが前記壁面に吸着される。基材１１は、所定の剛性及び所定の厚さｔを有する面材であり、一方の面１１ａが前記吸着シート１０の他方の面１０ｂに貼り付けられる。保持部１２は、物品を保持し、一方の面１２ａが前記基材１１の他方の面１１ｂに取り付けられる。図１に示す保持部１２は、フックであり、下方にＵ字状に湾曲した吊り下げ形状とし、保持部１２の寸法を基材１１の寸法の一部（１／４程度）とし、基材１１の他方の面１１ｂの下方近傍に保持部１２の一方の面１２ａを接着等により貼り付けている。これにより、十分な耐荷重を有するとともに、一度剥がしても何度でも繰り返し使用することがとなる。
【００１６】
即ち、吸着シート１０は、通常、被吸着体に対して垂直方向の引き剥がしの力には弱いことから、繰り返し貼ったり剥がしたりするポスター等に使用される。一方、本考案者は、吸着シート１０の素材としての可能性を追求した結果、吸着シート１０は、引き剥がしの力に弱いものの、被吸着体に対して水平方向のせん断の力には、十分の強度があることを見出した。そこで、本考案者は、吸着シート１０に、所定の剛性及び所定の厚さｔを有する基材１１を貼り付け、その基材１１に保持部１２を取り付けた。
【００１７】
そして、本考案者は、図２Ａに示すように、物品保持具１の吸着シート１０を平滑な壁面２０に押し付けて、吸着シート１０のマイクロ吸盤を吸着させ、保持部１２のフック２１に所定の重さを有する物品２２の引っ掛け部２３を引っ掛けて、物品２２を保持させた。すると、保持部１２のフック２１には、物品２２の引っ掛け部２３から下方に力が掛かり、保持部１２の最下端を支点Ｓとして基材１１に対して下方へ回転する回転力が掛かる。
【００１８】
ここで、基材１１は、所定の剛性と所定の厚さｔを備えていることから、（この回転力を全面で受けて）掛かった回転力をせん断力にして吸着シート１０に伝える。これにより、本考案では、吸着シート１０のみの場合や吸着シート１０に屈曲自在な柔軟なシートを積層させた場合と比較して耐荷重を増加させることが出来るのである。尚、基材１１は、掛かった回転力を分散させる役割もある。
【００１９】
又、吸着シート１０は、壁面２０から一度引き剥がしても、吸着面を水で洗浄して乾燥させれば、マイクロ吸盤の吸着力は回復するため、何度でも繰り返し使用することが可能となる。通常の粘着シートのように粘着層が壁面２０に残ることは無いし、通常の吸盤のように塑性変形が生じることも無い。
【００２０】
ここで、吸着シート１０の構成に特に限定は無く、例えば、合成樹脂組成物を発泡させた吸着層を形成し、吸着層の表面に複数の微細な孔を設けて、マイクロ吸盤を形成させ、真空吸着力を備えるようにする。吸着シート１０は、一般に市販されているものを用いても構わない。
【００２１】
又、基材１１に対する吸着シート１０の取り付け方法に特に限定は無く、例えば、粘着力、耐水性に優れるアクリル系両面テープを用いて貼り付けられる。又、基材１１の寸法は、例えば、吸着シート１０の寸法と同等に設定される。そのため、基材１１の一方の面１１ａの面積は、吸着シート１０の他方の面１０ｂの面積に等しい。又、基材１１の寸法は、吸着シート１０の寸法より大きめに設定されても良い。
【００２２】
又、基材１１の材質は、所定の剛性を有していれば、特に限定は無く、例えば、合成樹脂、金属等を採用することが出来る。特に、合成樹脂であれば、ＡＢＳ樹脂（アクリロニトリル、ブタジエン、スチレン共重合合成樹脂）、ＰＳ樹脂（ポリスチレン樹脂）等を採用することが出来る。
【００２３】
又、基材１１の厚さｔは、例えば、１．５ｍｍ以上であると好ましく、３．０ｍｍ以上であると、更に好ましい。上述のように、基材１１は、保持部１２からの回転する力を全面で受けるために、その厚さｔが厚い程、基材１１の剛性が向上し、耐荷重を増加させることが出来る。一方、基材１１の厚さｔが、１．５ｍｍ未満の場合、基材１１が、回転する力を全面で受けることが出来ず、回転する力が基材１１の一部に集中し、容易に脱落する可能性がある。尚、基材１１の形状が板状であれば、厚みｔが均一であるが、基材１１の形状が凹凸を有する立体的な形状である場合、基材１１の平均的な厚さｔが、例えば、１．５ｍｍ以上であるか、基材１１の最低厚さｔが、１．５ｍｍ以上であると好ましい。
【００２４】
又、吸着シート１０及び基材１１の面積は、例えば、３０ｃｍ２以上であると好ましく、５０ｃｍ２以上であると、更に好ましい。上述のように、基材１１は、保持部１２からの回転する力を全面で受けるために、その面積が広い程、回転する力が分散され、耐荷重を増加させることが出来る。一方、吸着シート１０及び基材１１の面積が、３０ｃｍ２未満の場合、基材１１が、回転する力を分散することが出来ず、容易に脱落する可能性がある。
【００２５】
又、基材１１の形状に特に限定は無いが、例えば、図３に示すように、正方形、縦長の長方形、横長の長方形、凹凸を有する立体的な形状、楕円形状、円形状等を採用することが出来る。尚、耐荷重の向上の観点から、基材１１の形状は、縦長か横長が好ましい。又、本考案では、デザイン性の向上の観点から、基材１１の形状として、キャラクターの外縁を示す形状を採用することが出来る。これにより、ユーザをキャラクターで視覚的に楽しませることが可能となる。キャラクターの種類に特に限定は無いが、例えば、動物、植物、飲食用具、食器、飲食物、人物の各部、人物像、道具、服装、装飾品、建物、風景、文字（アルファベット、平仮名、片仮名、漢字等）等を採用することが出来る。
【００２６】
上述では、基材１１の一方の面１１ａに吸着シート１０の他方の面１０ｂを直接貼り付けるよう構成しているが、耐荷重の向上の観点から、発泡シートを中間層に有し、粘着シートを上下層に有する両面粘着シートを、基材１１と吸着シート１０との間に設けても良い。例えば、図４Ａに示すように、吸着シート１０の他方の面１０ｂに、両面粘着シート４０の一方の面の第一の粘着シート４１が貼り付けられ、基材１１の一方の面１１ａに、両面粘着シート４０の他方の面の第二の粘着シート４２が貼り付けられる。これにより、発泡シートを中間層に設けることで、粘着シート４１、４２の有効接着面積を増加させ、物体保持具１全体の厚さｔを増加させ、耐荷重を向上させることが出来る。尚、図４Ａに示すように、両面粘着シート４０の寸法は、基材１１の寸法と同等に設定されているが、例えば、基材１１の寸法よりも小さく設定されても良い。
【００２７】
又、両面粘着シート４０の発泡シートの材質に特に限定は無いが、例えば、ウレタン系発泡シート、アクリル系発泡シート、ポリエチレン系発泡シート等を採用することが出来る。ここで、中間層をアクリル系発泡シートとし、上下層の粘着シートをアクリル系粘着シートとして、両面粘着シート４０の材質を同一系統とすることで、両面粘着シート４０に掛かる応力を全体に分散させ、耐荷重を更に向上させることが出来る。
【００２８】
又、デザインの向上の観点から、例えば、基材１１の材質を透明にし、基材１１と吸着シート１０との間に、所定のデザインを付与した印刷物（加飾シート）を設けても良い。これにより、印刷物を自由に変更することで、好みのデザインを基材１１を介して視認することが可能となり、物品保持具１に意匠性を付与することが可能となる。
【００２９】
又、上述では、基材１１の他方の面１１ｂの下方近傍に保持部１２の一方の面１２ａを貼り付けるよう構成しているが、耐荷重の向上の観点から、保持部１２の寸法を大きくし、基材１１との取付面積を広くしてもよい良い。例えば、図４Ｂに示すように、基材１１の他方の面１１ｂの上下の寸法に対応して保持部１２の寸法を縦長の寸法にし、縦長の保持部１２の一方の面１２ａを基材１１の他方の面１１ｂの上下にわたって取り付ける。これにより、物品を保持部１２に保持させた際に、保持部１２が受ける力を基材１１に分散させて伝えることが出来るため、耐荷重を更に向上させることが出来る。
【００３０】
尚、保持部１２の寸法、形状、面積は、保持対象の物品に応じて適宜設計することが出来る。又、両面粘着シートと組み合わせても良い。更に、図５Ａに示すように、保持部１２の一方の面１２ａの寸法を、基材１１の他方の面１１ｂの寸法と同等に設定して、耐荷重を更に向上させても良い。
【００３１】
又、本考案の物品保持具１は、耐荷重が良好であるため、一度、平滑な壁面に吸着すると、引き剥がし難くなる。そこで、図５Ｂに示すように、基材１１の一角に、引っ張り部５０を設け、引っ張り部５０を壁面に対して垂直に引っ張ると、吸着シート１０の一角が壁面から剥がれ、吸着シート１０の全体を引き剥がし易くするよう構成しても良い。これにより、一度、壁面に吸着させた後に、位置変更等の微調整を容易に行うことが可能となる。
【００３２】
又、保持部１２の形状は、物品を保持出来る形状であれば、特に限定は無く、用途に応じて適宜設計変更することが出来る。例えば、図６Ａに示すように、コの字の形状と、台の形状の二つを用意し、コの字の形状の保持部１２を基材１１の上方に取り付け、台の形状の保持部１２を基材１１の下方に取り付ける。コの字の形状の中に細長の小物を収納することで、物品を保持するようにしても良い。又、上方を開放した容器の形状とし、容器の形状の裏面を基材１１に取り付ける。容器の形状の中に細長の歯ブラシやチューブを収納することで、物品を保持するようにしても良い。
【００３３】
又、図６Ｂに示すように、シャワーを装着可能なコの字の形状とし、コの字の形状の保持部１２を細長の基材１１の中央に取り付ける。コの字の形状の中にシャワーを装着することで、物品を保持するようにしても良い。
【００３４】
又、図７Ａに示すように、コの字状の帯状の保持部１２を基材１１の下方に取り付け、基材１１の正面に鏡１３を設けても良い。又、保持部１２の帯には、着脱フック１４を装着出来れば、様々な物品の引っ掛け部を着脱フック１４に引っ掛けることが可能となる。又、図７Ｂに示すように、筒状の保持部１２を基材１１の下方に取り付け、基材１１の正面に鏡１３を設けても良い。保持部１２の筒には、上述と同様に、着脱フック１４が装着される。このような鏡１３付きの物品保持具１は、例えば、玄関周りに設置され、ユーザが家を出る前に身だしなみを確認することが出来る。
【００３５】
又、図８Ａに示すように、一方の側面が開放された箱状の保持部１２を基材１１の左右方向の一方に取り付けても良い。又、図８Ｂに示すように、上面が開放された箱状の保持部１２を基材１１の下方に取り付けても良い。ユーザの用途に合わせて保持部１２の形状やサイズを変更しても良い。
【００３６】
又、図９Ａに示すように、碗状の保持部１２を基材１１に一体成型させても良い。又、図９Ｂに示すように、調味料等の小物を収納可能な箱状の保持部１２を基材１１に一体成型させても良い。
【００３７】
又、図１０Ａに示すように、フックの形状を複数用意し、フックの形状の保持部１２を横長の基材１１に横に沿って配置して取り付ける。フックの形状に台所のお玉やフライ返し等の小物を引っ掛けることで、物品を保持するようにしても良い。又、タオル掛け用の棒６０の端部を装着する装着部の形状を含む保持部１２を２つ用意し、２つ用意した保持部１２に、２つ用意した基材１１をそれぞれ取り付ける。そして、棒６０の両端部に対応する位置に２つの保持部１２を配置し、棒６０の両端部を装着部で装着した状態で吸着シート１０を貼り付ける。棒６０にタオルを掛けることで、タオルを物品として保持するようにしても良い。
【００３８】
又、図１０Ｂに示すように、コの字状の保持部１２を縦長の基材１１に上下方向に沿って取り付けた物品保持具１を２つ用意し、保持部１２のコの字状の開口部に挿通可能な棒１５（例えば、アルミ製の板材）を用意し、２つの物品保持具１の吸着シート１０を適当な間隔で壁面に設置し、２つの物品保持具１の保持部１２の開口部にそれぞれ棒１５を挿通させることで、分解可能な多用途のハンガーとして用いても良い。
【００３９】
又、図１１Ａに示すように、フック状の保持部１２を側面視がドーム状で正面視が略四角形状の基材１１の下方に埋め込んで取り付けても良いし、図１１Ｂに示すように、側面視がドーム状で卵状の基材１１の下方に埋め込んでも良い。又、物品保持具１の付属品として、羽根状で先端が尖ったスクレーパー１６を用意しても良い。スクレーパー１６は、例えば、磁石を内蔵し、冷蔵庫等に吸着させても良いし、引っ掛け用の開口部１７を設けて、引っ掛け可能にしても良い。
【００４０】
又、図１２Ａに示すように、基材１１の材質を透明にし、基材１１と吸着シート１０との間に所定のデザインを付与した印刷物１８を設けても良い。具体的には、基材１１の形状を動物の猫の後ろ姿を模した形状にし、フック状の保持部１２を猫のしっぽに見立てて設けられる。保持部１２は、先端が尖ったフック状であっても良く、フックに物品を引っ掛けた場合に物品の荷重が基材１１の本体に沿ってフックに掛かる形状である。印刷物１８の寸法は、例えば、基材１１の背面の寸法と同等に設定され、印刷物１８のデザインは、多種多様に彩ることが出来る。例えば、図１２Ｂに示すように、印刷物１８は、基材１１の形状に対応して、猫の後ろ姿を模したデザインとすることで、猫好きのユーザに好まれる物品保持具１とすることが出来る。尚、上述の構成は、一例である。又、基材１１と保持部１２との間に、他の印刷物等を設けても構わない。
【００４１】
又、壁面の材質は、平滑であれば、特に限定は無いが、例えば、鉄板、ガラス、鏡等を採用することが出来る。
【実施例】
【００４２】
以下、実施例、比較例等によって本考案を具体的に説明するが、本考案はこれにより限定されるものではない。
【００４３】
先ず、基材の有無、両面粘着シートの有無により耐荷重が変化するか否かを調べた。縦８．０ｃｍ、横７．０ｃｍに切断した長方形状の合成樹脂板（ＰＳ樹脂製、厚さｔ＝１．７ｍｍ）を基材として用意し、この基材の寸法と同等の寸法に市販の吸着シート（株式会社ユポ・コーポレーション製）を切断した。吸着シートは、一方の面に吸着層を有し、他方の面に粘着層を有する。そのため、基材の一方の面に吸着シートの他方の面を貼り付けた。そして、一方の面に粘着層を有し、他方の面に引っ掛け部を有する市販のフックを保持部として用意し、基材の他方の面の下方に保持部の一方の面を貼り付けて、基材が有る物品保持具を実施例１として作製した。比較のため、吸着シートの他方の下方に保持部の一方の面を直接貼り付けて、基材が無い物品保持具を比較例１として作製した。尚、吸着シートは、柔軟性を有する。
【００４４】
又、中間層をアクリル系発泡シートとし、上下層をアクリル系粘着シートとする第一の両面粘着シートを用意し、吸着シートと基材との間に第一の両面粘着シートを設けて（アクリル系粘着シートをそれぞれ吸着シートと基材とに貼り付けて）、両面粘着シートが有る物品保持具を実施例２として作製した。両面粘着シートの素材を変えるために、中間層をウレタン系発泡シートとし、上下層を粘着シートとする第二の両面粘着シート（厚さｔ＝３．０ｍｍ）を用意し、吸着シートと基材との間に第二の両面粘着シートを設けて（ウレタン系発泡シートをそれぞれ吸着シートと基材とに貼り付けて）、両面粘着シートが有る物品保持具を実施例３として作製した。図１３Ａには、実施例１−３、比較例１の物品保持具を示す。
【００４５】
壁面を平滑な鉄板扉とし、この鉄板扉に実施例１−３、比較例１の吸着シートを吸着させ、実施例１−３、比較例１のフックに２ｋｇの重さの物品を吊り下げて静止させ、物品保持具が脱落するか否かを確認した（脱落試験）。その結果、比較例１では、静止から４０時間経過後に脱落したが、実施例１−３では、静止から１０日経過しても脱落しなかった。次に、実施例１−３のフックに４ｋｇの重さの物品を吊り下げて静止させた。その結果、実施例１−３では、静止から５日経過しても脱落しなかった。更に、実施例１、２のフックに６ｋｇの重さの物品を吊り下げて静止させた。すると、実施例１では、静止から１日経過に脱落したが、実施例２では、静止から２日以上脱落しなかった。
【００４６】
従って、所定の剛性及び所定の厚さを有する基材が有ることで、耐荷重が向上することが分かった。又、基材に加えて両面粘着シートを設けることで、耐荷重が更に向上することが分かった。
【００４７】
次に、壁面を平滑な鉄板扉から、平滑なガラス、平滑な鏡に代えて、上述と同様の脱落試験を行った。図１３Ｂには、鉄板扉、ガラス、鏡にそれぞれ実施例１−３の物品保持具を吸着させ、物品を吊り下げた様子を示す。その結果、壁面をガラス、鏡に代えても、比較例１では、直ぐに脱落する一方、実施例１−３では、静止から長期間、脱落せずに固定した状態であり、同様の作用効果があることが分かった。
【００４８】
次に、基材の厚さにより耐荷重が変化するか否かを調べた。縦７．０ｃｍ、横４．７ｃｍに切断した長方形状の合成樹脂板（ＰＳ樹脂製）であって、厚さｔが１．０ｍｍ、１．７ｍｍ、３．４ｍｍの異なる合成樹脂板を基材として用意し、上述と同様に、基材の一方の面に吸着シートの他方の面を貼り付け、基材の他方の面の下方にフックの保持部の一方の面を貼り付けて、厚さｔが１．０ｍｍ、１．７ｍｍ、３．４ｍｍの物品保持具を実施例４、５、６として作製した。図１４Ａには、実施例４−６の物品保持具を示す。
【００４９】
壁面を鉄板扉とし、鉄板扉に実施例４−６の吸着シートを吸着させ、実施例４−６のフックに１ｋｇの重さの物品を吊り下げて静止させた（脱落試験）。その結果、実施例４−６では、静止から３．５時間経過しても脱落しなかった。そこで、実施例４−６のフックに２ｋｇの重さの物品を吊り下げて静止させた。すると、実施例４では、静止から２０分経過後に脱落したが、実施例５、６では、１時間経過しても脱落しなかった。そこで、更に、実施例５、６のフックに３ｋｇの重さの物品を吊り下げて静止させた。すると、実施例５では、静止から２６．５時間経過後に脱落したが、実施例６では、２６．５時間経過しても脱落しなかった。最後に、実施例６のフックに４ｋｇの重さの物品を吊り下げて静止させると、静止から２．５時間経過後に脱落した。図１４Ｂには、鉄板扉に実施例４−６の物品保持具を吸着させ、物品を吊り下げた様子を示す。
【００５０】
従って、基材の厚さが厚くなる程、耐荷重が向上することが分かった。
【００５１】
次に、基材の形状により耐荷重が変化するか否かを調べた。縦６．０ｃｍ、横６．０ｃｍに切断した正方形の合成樹脂板（ＰＳ樹脂製、厚さｔ＝１．７ｍｍ）を２枚、縦９．０ｃｍ、横４．０ｃｍに切断した長方形の合成樹脂板（ＰＳ樹脂製、厚さｔ＝１．７ｍｍ）を４枚用意し、上述と同様に、基材の一方の面に吸着シートの他方の面を貼り付け、基材の他方の面の下方にフックの保持部の一方の面を貼り付けて、正方形の物品保持具を実施例７（２つ）、縦長の長方形状の物品保持具を実施例８（２つ）、横長の長方形状の物品保持具を実施例９（２つ）として作製した。実施例７−９では、基材及び吸着シートの面積は３６ｃｍ２と同一である。図１５Ａには、実施例７−９の物品保持具を示す。
【００５２】
壁面を鉄板扉とし、鉄板扉に実施例７−９の吸着シートを吸着させ、実施例７−９のフックに１ｋｇの重さの物品を吊り下げて静止させた（脱落試験）。その結果、実施例７−９では、静止から２時間経過しても脱落しなかった。そこで、実施例７−９のフックに２ｋｇの重さの物品を吊り下げて静止させた。すると、実施例７−９では、１つずつ脱落した。そこで、実施例７−９のフックに３ｋｇの重さの物品を吊り下げて静止させると、実施例７では、１つ脱落し、実施例８、９では、１つずつ脱落せずに固定していた。最後に、実施例８、９のフックに４ｋｇの重さの物品を吊り下げて静止させると、実施例８では、脱落し、実施例９では、脱落せずに固定していた。図１５Ｂには、鉄板扉に実施例９の物品保持具が脱落せずに固定している様子を示す。
【００５３】
次に、厚さを厚くした合成樹脂板を用いて、基材の形状により耐荷重が変化するか否かを調べた。上述と同様に、縦６．０ｃｍ、横６．０ｃｍに切断した正方形の合成樹脂板（ＰＳ樹脂製、厚さｔ＝３．７ｍｍ）を２枚、縦９．０ｃｍ、横４．０ｃｍに切断した長方形の合成樹脂板（ＰＳ樹脂製、厚さｔ＝１．７ｍｍ）を４枚用意し、上述と同様に、基材の一方の面に吸着シートの他方の面を貼り付け、基材の他方の面の下方にフックの保持部の一方の面を貼り付けて、正方形の物品保持具を実施例１０（２つ）、縦長の長方形状の物品保持具を実施例１１（２つ）、横長の長方形状の物品保持具を実施例１２（２つ）として作製した。実施例１０−１２では、基材及び吸着シートの面積は３６ｃｍ２と同一である。図１６Ａには、実施例１０−１２の物品保持具を示す。
【００５４】
壁面を鉄板扉とし、鉄板扉に実施例１０−１２の吸着シートを吸着させ、実施例１０−１２のフックに２ｋｇの重さの物品を吊り下げて静止させた（脱落試験）。その結果、実施例１０−１２では、いずれも脱落しなかった。そこで、実施例１０−１２のフックに３ｋｇの重さの物品を吊り下げて静止させると、実施例１０−１２では、１つずつ脱落した。そこで、実施例１０−１２のフックに４ｋｇの重さの物品を吊り下げて静止させると、実施例１０では、脱落し、実施例１１では、フックが破損して脱落し、実施例１２では、脱落せずに固定していた。図１６Ｂには、鉄板扉に実施例１２の物品保持具が脱落せずに固定している様子を示す。
【００５５】
このように、基材は、正方形より長方形の方が、耐荷重を向上させ、基材の厚さが厚い場合であっても、同様の作用効果があることが分かった。
【００５６】
又、比較のために、縦６．０ｃｍ、横６．０ｃｍに切断した正方形の吸着シートを１枚と、縦９．０ｃｍ、横４．０ｃｍに切断した長方形の吸着シートを２枚とを用意し、各吸着シートの他方の面に柔軟性のあるシートを貼り付け、そのシートの他方の面の下方に保持部のフックを直接貼り付けて、柔軟性シートのある正方形の物品保持具を比較例２、横長の長方形状の物品保持具を比較例３、縦長の長方形状の物品保持具を比較例４として作製した。そして、壁面を鉄板扉とし、鉄板扉に比較例２−４の吸着シートを吸着させ、比較例２−４のフックに１ｋｇの重さの物品を吊り下げて静止させた（脱落試験）。その結果、図１７Ａに示すように、比較例２では、物品を吊り下げた直後から、縦６．０ｃｍ、横６．０ｃｍの吸着シートの下方が浮き上がり、徐々に上方まで浮き上がって、１分も経たずに脱落した。比較例３では、横長の縦４．０ｃｍ、縦９．０ｃｍの吸着シートであるため、上下方向の吸着領域が少なく、物品を吊り下げた直後から、１０秒も経たずに脱落した。又、図１７Ｂに示すように、比較例４では、縦長の縦９．０ｃｍ、横４．０ｃｍの吸着シートであるため、上下方向の吸着領域が多く、吸着シートの下方から徐々に上方まで浮き上がり、２分で脱落した。
【００５７】
このように柔軟性シートを用いると、直ぐに脱落し、耐荷重が悪いことが分かった。
【００５８】
尚、実施例の物品保持具は壁面から剥がした後に、再度、壁面に吸着させても、強固に固定され、繰り返して使用出来ることを確認した。
【産業上の利用可能性】
【００５９】
以上のように、本考案に係る物品保持具は、日用品や身の回り品を保持する業務用又は家庭用の物品保持具として有用であり、十分な耐荷重を有するとともに、一度剥がしても何度でも繰り返し使用することが可能な物品保持具として有効である。
【符号の説明】
【００６０】
１  物品保持具
１０  吸着シート
１１  基材
１２  保持部
【図１】
0003212231.tif 000003
【図２】
0003212231.tif 000004
【図３】
0003212231.tif 000005
【図４】
0003212231.tif 000006
【図５】
0003212231.tif 000007
【図６】
0003212231.tif 000008
【図７】
0003212231.tif 000009
【図８】
0003212231.tif 000010
【図９】
0003212231.tif 000011
【図１０】
0003212231.tif 000012
【図１１】
0003212231.tif 000013
【図１２】
0003212231.tif 000014
【図１３】
0003212231.tif 000015
【図１４】
0003212231.tif 000016
【図１５】
0003212231.tif 000017
【図１６】
0003212231.tif 000018
【図１７】
0003212231.tif 000019